(57)【特許請求の範囲】
【請求項１】
支持部材（５）の上面に装着された一対の検出レバー(７ａ，７ｂ)が、外部より挿入されたディスク（２ａ，２ｂ）に押し広げられて互いに連動して開方向へ回動すると共に、ローディングモータが起動して送りローラ（４）により該ディスクを再生位置へ搬送するディスク再生装置において、
前記支持部材の上面および片側の検出レバーの下面のいずれか一方に設けられた配線板（２２）およびこの配線板の接点（２４，２５，２６，２７）に接するように他方に設けられた接触子（２１）により構成された、第１，第２スイッチ（３０，３１）を有するロータリスイッチ（２０）と、
大、小径ディスクに共通のディスク搬送通路上に位置し、小径ディスク挿入時には該小径ディスクを再生位置に留め、大径ディスク挿入時には小径ディスク挿入時よりも大きく回動する前記各検出レバーにより搬送通路外へ移動する一対の小径ディスクストッパ（１０ｃ）と、
前記一対の検出レバーが大径ディスクの挿入により大きく回動した際に両検出レバーを最大回動位置に保持する係止手段（８）と、を具備し、
前記検出レバーの回動に伴なう前記第１，第２スイッチのオン・オフにより、前記ローディングモータの回転制御と、挿入されたディスクの挿入開始から挿入完了までの位置検出および大、小ディスクの判別とを行なうことを特徴とするディスク再生装置。
【請求項２】
前記支持部材（５）を、ディスクガイド板としたことを特徴とする請求項１に記載のディスク再生装置。
【発明の詳細な説明】
【０００１】
【発明が属する技術分野】
本発明は、簡単な構成により、挿入されたディスクの位置検出および大小ディスクの判別が行なえるディスク再生装置に関する。
【０００２】
【従来の技術】
特開平１０−１１６４５９号公報には、次のようなディスク位置検出手段が開示されている。すなわち、一対のレバーとこれらを連動させる連動部材とを設け、片側のレバーおよび連動部材の各近傍にそれぞれ第1、第2スイッチを配置する。そして、ディスクが挿入されていないときは第1スイッチをオン、第2スイッチをオフにしておき、大、小いずれかのディスクがローディング開始位置まで挿入されるとレバーの回動により第1スイッチがオフとなってローディングモータを起動させる。また、小径ディスクを挿入したときはレバーの回動量が最大に開いたときでもその回動量が小さいため第2スイッチはオンにならず、大径ディスクを挿入したときはレバーが大きく回動するため第2スイッチがオンになり、これに基き大、小ディスクの判別を行なう。
【０００３】
【発明が解決しようとする課題】
このように、レバーおよび連動部材の各近傍にスイッチを配置するものでは、二つのスイッチを用いるので構成が複雑になると共に、各スイッチを配置するためのスペースを確保しなければならないため、設計上の困難性があった。また、レバーおよび連動部材と各スイッチとの位置関係を高精度に設定することが困難で、高精度な位置関係が得られないときは誤動作を生じるおそれもあった。
本発明はこれらの問題を解決するためになされたもので、設計および製造が容易で、かつ簡単な構成により大、小ディスクの判別およびディスク位置の検出が行なえるディスク再生装置を提供することを目的とする。
【０００４】
【課題を解決するための手段】
本発明は、支持部材の上面に装着された一対の検出レバーが、外部より挿入されたディスクに押し広げられて互いに連動して開方向へ回動すると共に、ローディングモータが起動して送りローラにより該ディスクを再生位置へ搬送するディスク再生装置において、前記支持部材の上面および片側の検出レバーの下面のいずれか一方に設けられた配線板およびこの配線板の接点に接するように他方に設けられた接触子により構成された、第１，第２スイッチを有するロータリスイッチと、大、小径ディスクに共通のディスク搬送通路上に位置し、小径ディスク挿入時には該小径ディスクを再生位置に留め、大径ディスク挿入時には小径ディスク挿入時よりも大きく回動する前記各検出レバーにより搬送通路外へ移動する一対の小径ディスクストッパと、前記一対の検出レバーが大径ディスクの挿入により大きく回動した際に両検出レバーを最大回動位置に保持する係止手段と、を具備し、前記検出レバーの回動に伴なう前記第１，第２スイッチのオン・オフにより、前記ローディングモータの回転制御と、挿入されたディスクの挿入開始から挿入完了までの位置検出および大、小ディスクの判別とを行なうように構成される。
前記支持部材としては、ディスクガイド板を利用することができ、それによって構成を一層簡素化できる。
【０００５】
【発明の実施の形態】
本発明の実施の形態を、図1ないし図１６を参照して説明する。図１に示すディスク再生装置１は前面にディスク２を挿入するディスク挿入口３を有し、内部には、挿入口３より挿入されたディスク２を挟持する送りローラ４およびディスクガイド板（支持部材）５が設けられている。
【０００６】
ディスクガイド板５には、左右一対の検出レバー７ａ，７ｂ、係止レバー８、左右一対のロッド板９ａ，９ｂ、左右一対のストップレバー１０ａ．１０ｂ等が装着されている。また再生装置１の内部には、ターンテーブル１１およびクランパ１２が配置され、クランパ１２は、これを支持する回動板１３の上下回動により、ターンテーブル１１に対して接離するように構成されている。
【０００７】
一対の検出レバー７ａ，７ｂは、挿入口３側の端部にディスク２ａ，２ｂを当接させる当接片７ｃを有し、回動中心部にはギヤ部７ｅ（図６参照）を有している。更に、図６の如く左方の検出レバー７ａには円弧溝７ｄが形成され、検出レバー７ａが最大量開いたときこの溝７ｄ内に係止レバー８の第１ピン８ａを侵入させて、検出レバー７ａを開位置に保持するようにしている。検出レバー７ａ，７ｂのギヤ部７ｅには、連結部材１４に設けられたラック１４ｅをタスキ上に噛合させ、両検出レバー７ａ，７ｂが互いに連動して開閉方向へ回動するようにしている。連動部材１４とディスクガイド板５との間にはばね１５を掛渡して、一対の検出レバー７ａ，７ｂを常時、閉方向に付勢するようにしている。
【０００８】
更にガイド板５には、挿入口３とクランパ１２との間の位置に検知板１６が、一端部をねじ１７で固定されている。この検知板１６は図２に示すように薄い板ばねで形成されており、先端部に形成されたフック１６ａを連動部材１４に形成された傾斜カム１４ａおよび係止片１４ｂに適宜係合させるようにしている。また検知板１６の下面中央部には、図３に示すように合成樹脂製の摺接片１６ｂが取付けられ、この摺接片１６ｂをディスク搬送通路上に位置させている。
【０００９】
連動部材１４の係止片１４ｂの幅寸法は、フック１６ａの幅とほぼ同一に形成され、幅方向に突起１４ｃと受け面１４ｄとで二分されている。傾斜カム１４ａと係止片１４ｂとの間はおよそフック１６ａの幅分だけ離反しており、連動部材１４およびフック１６ａが初期位置にあるときは、係止片１４ｂをフック１６ａの上方に位置させている。そして、連動部材１４がばね１５に抗して移動し、かつフック１６ａが押上げられて傾斜カム１４ａと係止片１４ｂとの間を通して上昇し、その後連動部材１４がばね１５により復帰すると、受け面１４ｄがフック１６ａの下に入り込む。そして突起１４ｃの側面が係止片１４ｂに当接して、連動部材１４の復帰動作を途中で禁止し、連動部材１４を初期位置から僅かに回動した位置に留めるようになる。
【００１０】
図４はロータリスイッチ２０を示している。このロータリスイッチ２０は、左方の検出レバー７ａの下面に設けた接触子２１と、ディスクガイド板５の上面に設けた配線板２２とで構成されている。配線板２２は、図5に示すように、接触子２１にその全回動範囲に亘って接する長接点２４と、接触子２１にその回動途中から回動終端までの領域で接する短接点２５と、接触子２１が初期位置にあるときこれに接する始端接点２６と、接触子２１が終端位置まで回動したときこれに接する終端接点２７とを有し、始端接点２６と終端接点２７とは互いに接続されている。
【００１１】
そして長接点２４、短接点２５、終端接点２７および接触子２１の組合せにより第1スイッチ３０が構成され、また長接点２４、短接点２５および接触子２１の組合せによりが構成されている。
検出レバー７ａ，７ｂが初期位置にあるときは、接触子２１は、図５の如く長接点２４および始端接点２６に接し（このとき第1スイッチ３０はオン、第２スイッチ３１はオフ）、検出レバー７ａ，７ｂが僅かに回動すると、接触子２１は、図１０の如く長接点２４のみに接し（このとき第1、第２スイッチ３０，３１共にオフ）、検出レバー７ａ，７ｂが更に回動すると、接触子２１は、図９の如く長接点２４と短接点２５に接し（このとき第1スイッチ３０はオフ、第２スイッチ３１はオンとなってローディングモータを起動）、検出レバー７ａ，７ｂが最大量回動したとき、接触子２１は、図１６の如く長接点２４、短接点２５および終端接点２７に接する（このとき第1、第２スイッチ３０，３１は共にオン）ようになる。
【００１２】
すなわちロータリースイッチ２０は、検出レバー７ａ，７ｂの回動に伴ない、次のようにオン、オフ信号を出力する。
検出レバー７ａ，７ｂ位置    第１スイッチ３０    第２スイッチ３１
初期位置                  オン                  オフ
僅かに回動                オフ                  オフ
更に回動                  オフ                  オン
最大量回動                オン                  オン
これらのオン、オフ信号は論理回路３２に出力され、論理回路３２はその演算結果を制御回路３３へ送出する。
【００１３】
前記係止レバー８には、長溝７ｄに嵌合する第１ピン８ａと大径ディスクの外周を当接させる第２ピン８ｂとが形成されている。この係止レバー８は、大径ディスク２ｂが挿入口３から再生位置に向けて搬送されるとき、第２ピン８ｂがディスク２ｂの外周に押されて回動し、第１ピン８ａを長溝７ｄ内に侵入させて検出レバー７ａの当接片７ｃを大径ディスク８ｂの外周に接しない最大回動位置に留める働きをする。
【００１４】
前記ロッド板９ａ，９ｂは押圧片９ｃを有し、この押圧片９ｃをストップレバー１０ａ，１０ｂに係合させているときは図３に示すようにストップレバー１０ａ，１０ｂ先端のストッパ部１０ｃをディス搬送通路上に位置させる。そしてこのストッパ部１０ｃは、小径ディスク２ａがターンテーブル１１上に搬送されてきたときは小径ディスク２ａの外周を当接させてディスクの中心をターンテーブル１１の回転中心に一致させる。また、ロッド板９ａ，９ｂが前進移動してストップレバー１０ａ，１０ｂと押圧片９ｃとの係合が外れると、ストッパ部１０ｃは弾性復帰してディスク搬送通路外へ移動する。
【００１５】
右方のロッド板９ｂは、図１１の如く、ターンテーブル１１より奥側に位置するトリガ１８に係合している。このトリガ１８は、ディスク２ａ，２ｂが装置内に搬送されたときディスク２ａ，２ｂに押されて回動し、クランパ１２をターンテーブル１１に接近させる。トリガ１８をロッド板９ｂに係合させることで、ディスク径に応じてトリガ１８とディスク２ａ，２ｂとの当接位置を設定することができる。
【００１６】
以上のディスク再生装置において、図６の如く、ディスクが挿入されていない状態では、一対の検出レバー７ａ，７ｂは実線位置にあり、小径ディスク２ａが挿入されると仮想線位置まで開方向へ回動する。このとき連動部材１４は、ばね１５に抗してフック１６ａの幅分だけ図中左方へ移動する。そしてフック１６ａは、図８に示すように係止片１４ｂと傾斜カム１０ａとの間に位置し、検出板１６の摺接片１６ｂが図７に示すように小径ディスク２ａの上面に乗り上げて、フック１６ａを受け面１４ｄより高い位置まで押上げる。そして検出レバー７ａが更に回動すると、接触子２１が図９の如く長接点２４と短接点２５に接するようになり、ローディングモータを起動させる。
【００１７】
小径ディスク２ａの中心が検出レバー７ａ，７ｂの当接片７ｃ間を過ぎると、検出レバー７ａ，７ｂ、連動部材１４およびロッド板９ａ，９ｂはばね１５により復帰する。一方、検知板１６の摺接片１６ｂは、まだ小径ディスク２ａの上面に乗り上げているため、係止片１４ｂの受け面１４ｄがフック１６ａの下に入り込み、突起１４ｃがフック１６ａの側面に当接して連動部材１４の復帰を途中で禁止し、図１０の如く、接触子２１を長接点２４にのみ接する位置に留める。
【００１８】
小径ディスク２ａが、図１１に仮想線で示すように、中心をターンテーブル１１の中心に一致させるようになると、トリガ１８がディスク２ａに押されて回動し、クランパ１２をターンテーブル１１に接近させる。また、小径ディスク２ａはその外周をストッパ部１０ｃに当接させてその位置に留められる。その後、送りローラ４が下降し、これに伴って小径ディスク２ａがターンテーブル１１上に載置され、クランパ１２が小径ディスク２ａをターンテーブル１１に装着し、ディスクガイド板５、摺接片１６ｂおよび送りローラ４がディスク２ａから離反して再生可能な状態となる。
【００１９】
今度はイジェクト操作を行うと、クランパ１２が小径ディスク２ａから離反した後、送りローラ４が上昇し、送りローラ４で小径ディスク２ａをターンテーブル１１上から持ち上げてディスクガイド板５に当てる。そして送りローラ4が回転し、小径ディスク２ａは挿入口３に向けて搬送され、ディスク２ａの中心が両当接片７ｃ間を通過すると、ロータリスイッチ２０の接触子２１は長接点２４および短接点２５に接していた位置から長接点２４のみに接する位置へ移動し、ローディングモータが停止する。この状態では、小径ディスク２ａを掴んで取出すことができる。
【００２０】
次に、図１３の如く大径ディスク２ｂを挿入し、ロータリスイッチ２０の接触子２１が図９の如く長接点２４と短接点２５に接するようになると、ローディングモータが起動してディスクの搬送が開始される。また、ディスク２ｂを挿入する過程で、検知板１６の摺接片１６ｂが大径ディスク２ｂの上面に乗り上げられるので、フック１６ａはガイド板５から押上げられる。
大径ディスク２ｂの搬送に伴ない検出レバー７ａ，７ｂは開方向へ大きく回動し、連動部材１４もばね１５に抗して大きく左方へ移動する。そして図1４の如く連動部材１４の傾斜カム１４ａで検知板１６のフック１６ａを更に押上げる。
【００２１】
そして、大径ディスク２ｂの中心が両当接片７ｃ間に至ると、ディスク外周で係止レバー８の第２ピン８ｂを押し、第１ピン８ａを検出レバー７ａの長溝７ｄ内に侵入させる。従って、大径ディスク２ｂの中心が両当接片７ｃ間を通過した後も、検出レバー７ａ，７ｂは最大量回動した位置に留められ、大径ディスク２ｂが更に再生位置に向けて搬送されると、大径ディスク２ｂの外周が第２ピン８ｂから離反する。この過程でトリガ１８が回動してクランパ１２を下降させ、大径ディスク２ｂをターンテーブル１１上に装着する。
【００２２】
一方、検出レバー７ａ，７ｂが最大量回動した位置にあるとき、ロータリスイッチ２０の接触子２１は図1６の如く長接点２４、短接点２５および終端接点に接し、第１スイッチ３０および第２スイッチ３１は共にオン信号を出力し、論理回路３２は、大径ディスク２ｂが再生位置にあることを検知する。次に、大径ディスク２ｂを取出すためイジェクト操作を行うと、クランパ１２が上昇した後、送りローラ４が上昇して大径ディスク２ｂをターンテーブル１１上から持ち上げ、ディスクガイド板５に押し当てる。
【００２３】
そして、送りローラ４が回転し、大径ディスク２ｂをディスク挿入口３へ向けて搬送し、大径ディスク２ｂの中心が左右の当接片７ｃ間を通過した後、検出レバー７ａ，７ｂが閉方向へ回動してロータリスイッチ２０の接触子２１が長接点２４と短接点２５に接するようになると、第１、第２スイッチ３０，３１がそれぞれオフ、オンの信号を論理回路３２に出力し、制御回路３３はローディングモータを停止させる。
【発明の効果】
以上のように、本発明によれば、支持部材の上面に装着された一対の検出レバーが、外部より挿入されたディスクに押し広げられて互いに連動して開方向へ回動すると共に、ローディングモータが起動して送りローラにより該ディスクを再生位置へ搬送するディスク再生装置において、前記支持部材の上面および片側の検出レバーの下面のいずれか一方に設けられた配線板およびこの配線板の接点に接するように他方に設けられた接触子により構成された、第１，第２スイッチを有するロータリスイッチと、大、小径ディスクに共通のディスク搬送通路上に位置し、小径ディスク挿入時には該小径ディスクを再生位置に留め、大径ディスク挿入時には小径ディスク挿入時よりも大きく回動する前記各検出レバーにより搬送通路外へ移動する一対の小径ディスクストッパと、前記一対の検出レバーが大径ディスクの挿入により大きく回動した際に両検出レバーを最大回動位置に保持する係止手段と、を具備し、前記検出レバーの回動に伴なう前記第１，第２スイッチのオン・オフにより、前記ローディングモータの回転制御と、挿入されたディスクの挿入開始から挿入完了までの位置検出および大、小ディスクの判別とを行なうようにしたので、従来のようにスイッチを配置するためのスペースが不要となり、簡単な構成により設計上の困難性を解消できる。また、ロータリスイッチを構成する配線板と接触子は、いずれか一方を検出レバーに設け、他方を検出レバーを支持する支持部材に設けるので、配線板と接触子との位置関係を高精度に設定することが極めて容易であり、誤動作を生じるおそれはない。
特に、ディスクガイド板を支持部材として利用することにより、構成は一層簡単なものとなる。
【図面の簡単な説明】
【図１】  ディスク再生装置の要部を示す斜視図。
【図２】  連動部材と検知板との関係を示す斜視図。
【図３】  小径ディスクを挿入した状態を示す概略側面図。
【図４】  ロータリスイッチの分解斜視図。
【図５】  ロータリスイッチを含む回路図。
【図６】  ディスク再生装置の要部を示す平面図。
【図7】  小径ディスクの搬送状態を示す概略側面図。
【図８】  連動部材と検知板との関係を示す斜視図。
【図９】  ロータリスイッチを含む回路図。
【図１０】  ロータリスイッチを含む回路図。
【図１１】  ディスク再生装置の要部を示す平面図。
【図１２】  小径ディスクを挿入した状態を示す概略側面図。
【図１３】  ディスク再生装置の要部を示す平面図。
【図１４】  連動部材と検知板との関係を示す斜視図。
【図１５】  ディスク再生装置の要部を示す平面図。
【図１６】  ロータリスイッチを含む回路図。
【符号の説明】
２ａ，２ｂ  ディスク
５          支持部材（ディスクガイド板）
７ａ，７ｂ  検出レバー
２０        ロータリスイッチ
２１        接触子
２２        配線板
２４，２５，２６，２７  接点
【図１】
0003845576.tif 000002
【図２】
0003845576.tif 000003
【図３】
0003845576.tif 000004
【図４】
0003845576.tif 000005
【図５】
0003845576.tif 000006
【図６】
0003845576.tif 000007
【図７】
0003845576.tif 000008
【図８】
0003845576.tif 000009
【図９】
0003845576.tif 000010
【図１０】
0003845576.tif 000011
【図１１】
0003845576.tif 000012
【図１２】
0003845576.tif 000013
【図１３】
0003845576.tif 000014
【図１４】
0003845576.tif 000015
【図１５】
0003845576.tif 000016
【図１６】
0003845576.tif 000017